(57)【要約】【課題】遺族の要望に沿った材質、形状の「魂の拠り所」の作成方法を提供する。【解決手段】「魂の拠り所」となる物質「魂の写し所」を、火葬の高熱に耐える粘土などの整形物、セラミックス、耐熱金属などを用い、教義、宗派などを考慮した仏像、十字架、若しくは教義、宗派などと関係のない装飾品、人形、像、及び生前の面影を残す整形物などとして、あらかじめ準備し、遺体と一緒に棺桶に入れ、火葬し、遺骨とともに残すことで「魂の拠り所」を作成する。【選択図】図１
2004195174.tif 000002
【特許請求の範囲】
【請求項１】
火葬時に、あらかじめ「魂の拠り所」となる物質「魂の写し所」を遺族の要望に沿った材質、形状で準備し、棺桶に一緒に入れ、火葬し、遺骨とともに残すことを特徴とする「魂の拠り所」作成方式。
【請求項２】
「魂の写し所」の材質は火葬における高熱に耐え、もとの形を損なわず、遺骨をも損ねることのない物質、例えば粘土などの整形物、セラミックス、耐熱金属などを用いることを特徴とする請求項１記載の「魂の拠り所」作成方式。
【請求項３】
「魂の写し所」の形状は教義、宗派などを考慮した仏像、十字架、若しくは教義、宗派などと関係のない装飾品、人形、像、及び生前の面影を残す整形物などとすることを特徴とする請求項１記載の「魂の拠り所」作成方式。
【発明の詳細な説明】
【０００１】
【発明の属する技術分野】
この発明は、遺族にとって最も大切な遺骨を損ねることなく、また従来の不確実な方法による「魂の拠り所」の作成を、より確実で、遺族の要望に沿った材質、形状のものを提供することに関する。
【０００２】
【従来の技術】
従来は、遺族の心の安らぎ、ストレスの解消を目的として、「魂の拠り所」を作成し、身近に置く、若しくは持ち歩くために、次に挙げるような方法が採られていた。
（１）遺骨の一部を分骨する。
（２）火葬後の残骨を粘土などに混ぜ、人形、仏像などを整形し、「魂の拠り所」とする。
（３）亡くなられた方が生前身に付けていた物、例えば指輪などが、たまたま火葬の高熱に耐え、遺骨とともに残った場合、それを加工し、「魂の拠り所」とする。
（４）亡くなられた方が生前大切に使っていた物、例えば湯のみ茶碗などを遺体と一緒に火葬し、遺骨とともに残った物を「魂の拠り所」とする。
【０００３】
【発明が解決しようとする課題】
しかしながら、以上の従来技術によれば、遺族にとって最も大切な遺骨を損ねかねず、また準備した「魂の写し所」が火葬における高熱に耐えきれずに損なわれるなど、「魂の拠り所」の作成方法としては非常に不確実な方法であった。
そこで、この発明は、遺族の要望に沿った材質、形状の「魂の写し処」を準備し、確実に「魂の拠り所」を作成する方法を提供することを課題とする。
【０００４】
【課題を解決するための手段】
火葬には１，０００度以上の高熱が必要であり、近年ダイオキシンの発生などの問題から１，６００度を超える高熱が採用されており、この高熱に耐え、かつ遺族の要望に沿った材質、形状の「魂の拠り所」を確実に作成する方法が求められている。
以上の課題を解決するために、請求項１の発明は、あらかじめ「魂の拠り所」となる物質「魂の写し所」を準備し、棺桶に一緒に入れ、火葬し、遺骨とともに残すことである。
また、請求項２の発明は、「魂の写し所」の材質に、火葬における高熱に耐え、もとの形を損なわず、遺骨をも損ねることのない物質、例えば粘土などの整形物、セラミックス、耐熱金属などを用いることである。
また、請求項３の発明は、「魂の写し所」の形状を教義、宗派などを考慮した仏像、十字架、若しくは教義、宗派などと関係のない装飾品、人形、像、及び生前の面影を残す整形物などとすることである。
【０００５】
【発明の実施の形態】
この発明の一実施形態を、図１に示す。
図１▲１▼の「魂の拠り所」となる物質「魂の写し所」を、▲２▼の棺桶に入れ、▲３▼の火葬場で火葬する。火葬により、棺桶、遺体などは焼却され、遺骨、及び▲４▼の完成した「魂の拠り所」が残る。
図１▲１▼の「魂の写し所」は火葬における高熱に耐え、もとの形を損なわず、遺骨をも損ねることのない物質、例えば粘土などの整形物、セラミックス、耐熱金属などを用い、その形状を教義、宗派などを考慮した仏像、十字架、若しくは教義、宗派などと関係のない装飾品、人形、像、及び生前の面影を残す整形物などとする。
また、▲１▼の「魂の写し所」は複数個を▲２▼の棺桶に入れることも可能であり、この場合、▲４▼の完成した「魂の拠り所」が同時に複数個得られる。
図２に仏像の作成例を示す。
図３に十字架の作成例を示す。
図４に生前の写真などをもとに作成したカメオ風装飾品の作成例を示す。
図５に愛犬の生前の姿を現す像の作成例を示す。
【０００６】
「実施形態の効果」
この実施形態によれば、従来の技術では不確実であった、「魂の拠り所」の作成が確実に実施できるとともに、遺族の要望に沿った材質、形状ものが提供できる。
【０００７】
「他の実施形態」
図１の実施形態では、「魂の拠り所」となる物質「魂の写し所」を直接棺桶に入れるが、「魂の写し所」を収める箱などを用意することも考えられ、この場合には次のような方法により「魂の写し所」を損なわない工夫をする。
・完全に焼失する物質、例えば紙、木などを用いる。
・完全に焼失せず、「魂の写し所」と合体し更に質感を増す物資、例えばガラスなどを用いる。
また、この箱に消臭、防腐効果のある物質を共に収めるか、この箱自体を消臭、防腐効果のある物質で作ることにより、従来の氷、ドライアイスなどによる腐敗対策とは異なる効果が期待できる。
・棺桶に異物が大量にある違和感の解消。
・遺体の氷結、遺体、棺桶の結露など、違和感の解消。
さらに、図２〜図４に示す作成例において、個別生産にあっては、戒名、生前の名前など、大量生産にあっては像の名称、真言、例えば「南無阿弥陀仏」などを掘り込むことにより、遺族の心の安らぎを増す手法が考えられる。
【０００８】
【発明の効果】
以上説明したように、この発明によれば、遺族にとって最も大切な遺骨を、分骨、残骨利用などにより損なうことなく、「魂の拠り所」が確実に作成できる。
【０００９】
また、「魂の拠り所」を身近に置く、若しくは持ち歩くなどの目的、及び遺族の要望に沿った材質、形状などを自由にできることになり、遺族の心の安らぎ、ストレスの解消に対する効果は絶大である。
【図面の簡単な説明】
2004195174.tif 000003
2004195174.tif 000004
2004195174.tif 000005
【手続補正書】
【提出日】平成15年7月25日(2003.7.25)
【手続補正２】
【補正対象書類名】明細書
【補正対象項目名】図面の簡単な説明
【補正方法】変更
【補正の内容】
【図面の簡単な説明】
【図１】この発明の一実施形態である「魂の拠り所」作成手順である。
【図２】仏像の作成例である。
【図３】十字架の作成例である。
【図４】生前の写真などをもとに作成したカメオ風装飾品の作成例である。
【図５】愛犬等の生前の姿を現す像の作成例である。
【符号の説明】
１−１  「魂の拠り所」となる物質「魂の写し所」
１−２  棺桶
１−３  火葬場
１−４  完成した「魂の拠り所」
２−１  図１の手順で完成した「魂の拠り所」
２−２  台座などに乗せて、質感を増した「魂の拠り所」
３−１  図１の手順で完成した「魂の拠り所」
３−２  紐を取り付けるなどして、携行性を増した「魂の拠り所」
４−１  図１の手順で完成した「魂の拠り所」
４−２  カメオ風に加工して、質感を増した「魂の拠り所」
５−１  図１の手順で完成した「魂の拠り所」
５−２  台座などに乗せて、質感を増した「魂の拠り所」


【手続補正３】
【補正対象書類名】図面
【補正対象項目名】図１
【補正方法】追加
【補正の内容】
【図１】
2004195174.tif 000006
【手続補正４】
【補正対象書類名】図面
【補正対象項目名】図２
【補正方法】追加
【補正の内容】
【図２】
2004195174.tif 000007
【手続補正５】
【補正対象書類名】図面
【補正対象項目名】図３
【補正方法】追加
【補正の内容】
【図３】
2004195174.tif 000008
【手続補正６】
【補正対象書類名】図面
【補正対象項目名】図４
【補正方法】追加
【補正の内容】
【図４】
2004195174.tif 000009
【手続補正７】
【補正対象書類名】図面
【補正対象項目名】図５
【補正方法】追加
【補正の内容】
【図５】
2004195174.tif 000010